(57)【特許請求の範囲】
【請求項１】
指定したカラオケ楽曲のカラオケデータを処理して伴奏音楽を生成してスピーカに出力するカラオケ装置において、
マイクロホンからの歌唱者の音声信号をサンプリングして歌唱者の発声音程を抽出する手段と、
前記カラオケデータに付帯している前記伴奏音楽の主旋律に該当する基準音程を取得する手段と、
この基準音程と調和音の関係にある調和音程を取得する手段と、
前記基準音程および前記調和音程と、前記発声音程とを逐次比較し、前記基準音程および前記調和音程の中の前記発生音程と最も近い音程と、前記発声音程との一致度に対応した得点を逐次計上する手段と、
所定の計算方法に基づいて前記得点を集計することで総合得点を算出する手段と、
この総合得点に相当する採点結果をディスプレイに出力するための採点結果表示手段とを備えることを特徴とするカラオケ装置。
【請求項２】
請求項１において、前記調和音程を取得する手段は、前記カラオケデータに付帯した所定の楽器演奏パートに相当する音程を前記調和音程として採用することを特徴とするカラオケ装置。
【請求項３】
請求項１において、前記調和音程を取得する手段は、当該調和音程を前記基準音程に基づいて生成することで取得することを特徴とするカラオケ装置。
【請求項４】
請求項１において、前記調和音程を取得する手段は、前記カラオケデータに採点基準として付随して用意されている調和音程を取得することを特徴とするカラオケ装置。
【発明の詳細な説明】
【０００１】
【発明の属する技術分野】
本発明はカラオケ装置における歌唱採点方式に関し、より具体的には、アドリブの歌唱にも対応して歌唱力を正当に評価できる歌唱採点方式に関する。
【０００２】
【従来の技術】
カラオケ装置の付帯機能として採点機能がよく知られている。この採点機能は、マイクロホンから入力された歌唱者の音声信号をサンプリングすることで歌唱者が発声した音程を抽出する。この音程とカラオケデータ中の主旋律に該当する基準の音程とを比較し、適宜な採点区間毎にその比較結果に応じた得点を付与していく。そして、歌唱パートが終了するとこの得点を集計して総合得点を算出する。総合得点はそのままの得点数値をスコアボードやディスプレイに表示したり、所定のメッセージや所定の表現内容を含む映像など総合得点を反映した映像をディスプレイに出力したりする。
【０００３】
【発明が解決しようとする課題】
カラオケ利用者の中にはかなり高いレベルの歌唱力を持った人もいる。この人たちは、聞き手にとってより心地よい歌い方をして場を盛り上げるテクニックを持っている。例えば、主旋律と調和音の関係にある旋律をアドリブで歌ったりすることなどである。
【０００４】
また、一部のカラオケ楽曲の元歌にはアルバムバージョン・シングルバージョン・ライブバージョンなど、ボーカル旋律を故意に変えている種々のバージョンが存在している。プロ歌手は、歌唱場面で臨機応変にバージョンを使い分けて歌唱している。
【０００５】
しかし、いかに聞き手にとって心地よく、場を大いに盛り上げたとしても、従来の採点機能は歌唱者がいかに主旋律に忠実に歌っているかを判断するものであるため、アドリブで歌ったり異なるバージョンの旋律で歌えば採点結果は当然芳しくない。さらに、ある利用者がカラオケ用とは違うバージョンである楽曲を覚えている場合、歌唱力の劣った人の方がよい採点結果を得ることも十分にあり得る。これでは、歌唱力や表現力が適正に評価されているとは言い難い。
【０００６】
そこで本発明は、アドリブによる歌唱や異なるバージョンによる歌唱にも対応して適正な採点結果を得ることができる歌唱採点方式を提供することを目的としている。
【０００７】
【課題を解決するための手段】
この発明は、指定したカラオケ楽曲のカラオケデータを処理して伴奏音楽を生成してスピーカに出力するカラオケ装置において、つぎの各手段（１）〜（６）を備えたことを特徴とするものである。
（１）マイクロホンからの歌唱者の音声信号をサンプリングして歌唱者の発声音程を抽出する手段
（２）前記カラオケデータに付帯している前記伴奏音楽の主旋律に該当する基準音程を取得する手段
（３）この基準音程と調和音の関係にある調和音程を取得する手段
（４）前記基準音程および前記調和音程と、前記発声音程とを逐次比較し、前記基準音程および前記調和音程の中の前記発生音程と最も近い音程と、前記発声音程との一致度に対応した得点を逐次計上する手段
（５）所定の計算方法に基づいて前記得点を集計することで総合得点を算出する手段
（６）この総合得点に相当する採点結果をディスプレイに出力するための採点結果表示手段
【０００８】
第２の発明は、前記調和音程を取得する手段は、前記カラオケデータに付帯した所定の楽器演奏パートに相当する音程を前記調和音程として採用することとしている。
【０００９】
また、調和音程を取得する手段が当該調和音程を前記基準音程に基づいて生成することで取得する歌唱採点方式を第３の発明とし、前記調和音程が採点基準としてのみ使用される専用データとして前記カラオケデータに付随して用意されている歌唱採点方式を第４の発明としている。
【００１０】
【発明の実施の形態】
＝＝＝カラオケ装置の基本的な構成と動作＝＝＝
図１は本発明の実施例における歌唱採点方式を採用したカラオケ装置の構成図を示している。内部にＣＰＵ、ＲＡＭ、ＲＯＭを含む中央制御部１１が周辺各構成部に対しデータバス４０や制御バス５０を介してデータ通信や各種制御を行ってこのカラオケ装置１を統括している。
【００１１】
ハードディスク装置１２はカラオケ楽曲の伴奏音楽と歌詞画像を生成するためのカラオケデータを多数曲分蓄積している。中央制御部１１はリモコン送信器１７や操作パネル１８から入力されたリクエスト入力を操作制御部１９を介して受け取ると、そのリクエスト入力順に従って該当のカラオケデータを順次処理していく。すなわち、リクエスト楽曲に対応するカラオケデータをハードディスク装置１２から取りだし、伴奏音楽生成データ（ＭＩＤＩデータなど）をシンセサイザ１３に転送し、伴奏音楽を生成させる。この伴奏音楽はミキシングアンプ１４でマイクロホン１５より入力された歌唱音声と混合されてスピーカ１６に出力される。
【００１２】
一方、カラオケデータ中の歌詞描出データを伴奏音楽の生成処理に同期してビデオＲＡＭ２０に転送し、歌詞画像を順次ビットマップ展開させる。映像制御部２１はこの歌詞画像をビデオＣＤプレーヤ２２から出力される背景映像にスーパーインポーズしてディスプレイ２３に出力する。
【００１３】
また、カラオケ装置１はカラオケ楽曲に合わせて歌っている人の歌唱状態を採点してその採点結果を出力する採点機能を備えている。しかも、その採点方式はアドリブによる歌唱や異なるバージョンによる歌唱にも対応して歌唱力を適正に評価することができるようになっている。以下、この採点機能について説明する。
【００１４】
＝＝＝採点機能の動作＝＝＝
利用者がカラオケ装置１で歌唱採点機能を利用したい場合、リモコン送信器１７や操作パネル１８から演奏予約用の一連の楽曲番号に引き続いて所定の操作キーを押す。それにより、歌唱採点機能の作動命令が楽曲番号とともに操作制御部１９およびデータバス４０を介して中央制御部１１に転送される。中央制御部１１は、この命令を受けて、当該楽曲を演奏処理するときは歌唱採点機能を作動させるものとして演奏予約処理する。もちろん、利用者による課金手続きなどによって歌唱採点機能が作動するようにしてもよい。例えば課金装置を設置し、採点して欲しい楽曲が演奏される直前や前奏の演奏中など、適宜な時期に所定の料金を課金装置に投入することで歌唱採点機能が作動するようにする。
【００１５】
中央制御部１１は、この楽曲の演奏処理を開始すると、カラオケデータ中に設定された採点対象となる区間（普通は歌唱パート）の始まりを監視する。この開始点を検出すると歌唱採点機能の主要部である採点部３０に対して採点処理の開始を指示する。
【００１６】
採点部３０は、マイクロホン１５から入力される歌唱音声をサンプリングして解析することで歌唱音程を抽出する。さらに、伴奏音楽生成データをデータバス４０を介して受け取り、このデータ中の主旋律の音程データを基準音程として取得する。さらに、伴奏音楽生成データにおける所定の楽器パートの旋律の音程データを調和音程として取り出す。
【００１７】
つぎに、基準音程および調和音程を歌唱音程と比較する。まず、基準音程と調和音程のうち歌唱音程に最も近い方の音程を採点基準の音程として採用する。この採点基準音程と歌唱音程とを所定のアルゴリズムに基づいて演奏時系列順に１音ずつ比較し、その一致度に応じて所定の得点を付けていく。
【００１８】
図２は音程の一致度と得点の関係について示している。ある歌唱音程１００がある採点基準音程２００に最も近いとき、隣接する音程２０１、２０２は不協和音になりかねない。そこで、歌唱音程１００が採点基準音程２００に一致した時を１００点とし、歌唱音程が隣接する音程２０１、２０２との中間点２０３、２０４よりはずれた場合は０点としている。そして、この中間点２０３，２０４と採点基準音程２００間を均等割りして、歌唱音程１００の位置に応じて得点を付与する。採点部３０はこの得点を含む採点データをデータバス４０上に逐次送出する。
【００１９】
中央制御部１１はこの採点データを内部のＲＡＭに順次格納し、採点区間が終了すると、採点データを集計して総合得点を算出する。そして、この総合得点を採点結果としてディスプレイ２３に表示させる。
本実施例では、採点結果を総合得点の数値で表示している。専用のスコアボードなどを設置してそこに総合得点を表示することも可能である。また、所定の総合得点範囲毎にランクを設定するとともに、ビデオＣＤなどに採点結果を反映する内容を含む複数カットの映像（例えば、オーディションの合否を発表するアニメーションなど）を用意し、得られた総合得点に対応するランクに従って適宜な映像カットを選択して表示してもよい。
【００２０】
なお、調和音程として１つの楽器パートを採用してもいいし、同時に発音される全ての楽器パートに相当する音程を採用してもよい。また、カラオケデータ中に予め採点基準音程として採用するパートを指定しておき、採点部３０がそのパートの音程を取得するようにしてもよい。
【００２１】
＝＝＝その他＝＝＝
上記実施例では、調和音程としてカラオケデータ中の所定の楽器パートに相当する音程を採用していたが、主旋律の基準音程から調和音程に相当する音程を生成してもよい。
【００２２】
あるいは、調和音程による旋律を記述した採点基準としてのみ使用される専用データを各カラオケ楽曲に対応させて用意しておき、採点機能を作動させる際、該当する調和音程の専用データを読み込むようにしてもよい。あるカラオケ楽曲の演奏時に採点機能を作動させたい場合、この専用データが用意されていない場合は、従来通り主旋律の音程のみを採点基準として採用したり、上述の楽器パートによる調和音程や基準音程から生成される調和音程を採用するなど適宜に切り替えることも可能である。
【００２３】
【発明の効果】
カラオケ楽曲の主旋律に加え、調和音程による旋律も歌唱採点時の基準として採用することでアドリブによる歌唱や異なるバージョンによる歌唱にも対応して適正な採点結果を得ることができる。もちろん、従来では適正な採点が困難だったラップ曲などアドリブ要素をより多く含むジャンルの楽曲などにも適用することができる。
【００２４】
カラオケデータ中の所定の楽器パートに相当する音程を調和音程として採用することで、カラオケデータ中の伴奏音楽生成データをそのまま採点基準の音程として取得するだけで高度な採点機能を達成することができる。
【００２５】
調和音程を基準音程に基づいて生成することで主旋律と正確に和音を形成する音程を採点基準とすることができる。
【００２６】
カラオケデータに付随して調和音程からなる旋律を記述したデータを別に用意しておけば、伴奏音楽における音程の全てが調和音で構成されない場合でも対応することができる。
【図面の簡単な説明】
【図１】本発明の実施例を採用したカラオケ装置の構成図である。
【図２】上記カラオケ装置において歌唱音程と採点基準音程との一致度と、得点との関係を示すための概略図である。
【符号の説明】
１  カラオケ装置
１１  中央制御部
３０  採点部
【図１】
0004036952.tif 000002
【図２】
0004036952.tif 000003